(57)【要約】【課題】運転開始時の前面パネルが開放動作となった後、空気調和機の各種運転状態を制御するに必要な温度を検知するセンサー類が前面パネル開放状態となるまでの間に一時的に必要な吸込み量を得られないために起こる一時的な温度を検知し運転制御に支障をきたす可能性があるという課題を有していた。【解決手段】前面パネルが開放状態となってから室内温度の検知を開始することによって、前面パネル開放状態となるまでの間に、空気調和機の各種運転状態を制御するに必要な温度を検知するセンサー類が必要吸込み量が得られないために一時的に発生する温度を検知することを防止できる。【選択図】図２
2005291640.tif 000002
【特許請求の範囲】
【請求項１】
室内の空気を取り込む吸込み口と、前記吸込み口開閉可能に設けられた前面パネルと、前記前面パネルを駆動させる駆動手段を有し、前記前面パネルを開くことによって開放された前記吸込み口からとり入れた空気を室内熱交換器を通して吹出し口へ循環させる室内ファンと、前記吸込み口から吸込まれ、前記吹出し口へ循環される空気の温度を検知する温度検知手段を有する空気調和機であって、起動時、前記前面パネルが所定の開度となり、且つ所定の時間経過後、前記温度検知手段による温度検知を開始することを特徴とした空気調和機。
【請求項２】
室内の空気を取り込む吸込み口と、前記吸込み口開閉可能に設けられた前面パネルと、前記前面パネルを駆動させる駆動手段を有し、前記前面パネルを開くことによって開放された前記吸込み口からとり入れた空気を室内熱交換器を通して吹出し口へ循環させる室内ファンと、前記吸込み口から吸込まれ、前記吹出し口へ循環される空気の温度を検知する温度検知手段と、前記吹出し口に室内への送風を上下に吹き分ける上下風向変更ルーバーとを有する空気調和機であって、起動時、前記上下風向変更ルーバーが所定の開度となり、前記前面パネルが所定の開度で、且つ所定の時間経過後、前記温度検知手段による温度検知を開始することを特徴とした空気調和機。
【請求項３】
前記温度検知手段は、室内の空気の温度を検知する室内温度検知手段であることを特徴とした請求項１または２に記載の空気調和機。
【請求項４】
前記温度検知手段は、前記吹出し口から送風される熱交換後の空気の吹出し温度を検知する吹出し温度検知手段であることを特徴とした請求項１または２に記載の空気調和機。
【発明の詳細な説明】
【技術分野】
【０００１】
本発明は、開閉可能な前面パネルを有する空気調和機に関するものである。
【背景技術】
【０００２】
従来、この種の空気調和機においては、停止時は吸込み口を閉塞するように前面パネルを引きこんで、停止時のインテリア性の向上や塵埃の室内ユニット内への侵入防止を図り、運転開始時に前面パネルを開いて吸込み口を開放し、冷房、暖房、除湿等の各運転状態に応じて前面パネルの開度を調整する発明（例えば特許文献１）が開示されている。
【特許文献１】特開２００３−７４９６２号公報
【発明の開示】
【発明が解決しようとする課題】
【０００３】
しかしながら、前記従来の構成では、運転開始指示後、空気調和機の各種運転状態を制御するに必要な温度を検知するセンサー等の温度検知手段が、前面パネルが開放状態となって室内ユニット内部が閉空間でなくなるまでの間、一時的に必要な吸込み量の室内空気を得られないために起こる一時的な温度を検知し、運転制御に支障をきたす可能性があるという課題を有していた。
【０００４】
本発明はこのような従来の課題を解決するものであり、空気調和機の各種運転状態を制御するに必要な温度の誤検知を回避する制御を有した空気調和機を提供することを目的とする。
【課題を解決するための手段】
【０００５】
前記従来の課題を解決するために、本発明の空気調和機は、前面パネルが所定以上の開度となって所定の時間経過した後に、温度検知手段による温度の検知を開始するものである。
【０００６】
これによって、空気調和機の各種運転状態を制御するに必要な温度の検知は、開放された前面パネル及び吸い込み口から吸込まれた室内空気量が、温度検知に必要な吸込み量になった状態で、行われる。
【発明の効果】
【０００７】
本発明の空気調和機は、前面パネルが開放状態となって室内ユニット内部が閉空間でなくなるまでの間に一時的な温度の誤検知を防止することができる。
【発明を実施するための最良の形態】
【０００８】
本発明の空気調和機は、前面パネルが所定の開度となり、且つ所定の時間経過後、温度検知を開始することにより、室内ユニット内部が閉空間でなくなるまでの間、一時的な温度の誤検知を防止することができる。
【０００９】
また、本発明の空気調和機は、上下風向変更ルーバーが所定の開度となり、前面パネルが所定の開度で、且つ所定の時間経過後、温度検知を開始することにより、室内ユニット内部が閉空間でなくなるまでの間、一時的な温度の誤検知を防止することができる。
【００１０】
また、本発明の空気調和機で、その対象とする検知温度は室内温度もしくは吹出し温度である。
【００１１】
以下、本発明の実施の形態について、図面を参照しながら説明する。なお、この実施の形態によって本発明が限定されるものではない。
【００１２】
（実施の形態１）
図１は、本発明にかかる実施の形態１における空気調和機の室内ユニットの斜視図を示すもので、（ａ）は停止時の前面パネルが閉じた状態、（ｂ）は運転時の前面パネル開放状態、（ｃ）は運転時の前面パネル開放状態の断面図を図示している。
【００１３】
図１において、吸込み口開閉可能に設けられた前面パネルを有する空気調和機の室内ユニット１２は、室内の空気を取り込む吸込み口４の前面に、パネル駆動モーター２で可動する前面パネル１を配設した前面枠を有している。
【００１４】
空気調和機停止時は吸込み口４を閉塞するように前面パネル１を引きこんで、停止時のインテリア性の向上や室内ユニット１２内への塵埃の侵入防止を図り、運転開始時に前面パネル１を開いて、開放された吸込み口４から室内空気をとり入れる。取り入れられた室内空気は室内ファン６によって、室内熱交換器５を通過しながら熱の授受を行い、吹出し口７から吹出された熱交換された空気で室内空気調節を行う。
【００１５】
その際、室内熱交換器５等の冷凍サイクルの制御は、室内ユニット１２に設置された温度検知手段によって得られた温度に基づいて行われる。その為、空気調和機運転開始時など、前面パネル１が開放状態となって室内ユニット１２内部が閉空間でなくなるまでの間は、一時的に必要な吸込み量の室内空気を得られないために、室内ユニット１２内部が局所的に一時的な温度、例えば冷房時であれば、送風される空気の温度を大きく下回る温度、暖房時であれば、送風される空気の温度を大きく上回る温度となり、その一時的温度を温度検知手段が誤検知すると、必要以上に大きな温度制御をしようと、圧縮機等が高負荷運転をするように指示されるなど、運転制御に支障をきたす。
【００１６】
そこで、本発明はその誤検知を防止するために、前面パネル１が所定の開度となり、且つ所定の時間経過後、温度検知手段による温度検知を開始する。図２は本実施の形態の制御方法のフローチャートである。ここで、ｂ、ｃは定数である。
【００１７】
まず、ステップＳ００２で、パネル開度Ψｐ≧ｂになるまで待機し、パネル開度Ψｐ≧ｂになれば、ステップＳ００３に進む。
【００１８】
ステップＳ００３で、パネル開放動作経過時間ｔｐ≧ｃになるまで待機し、パネル開放動作経過時間ｔｐ≧ｃになれば、ステップＳ００４に進み、温度検知手段による温度検知を開始する。
【００１９】
ここで、定数ｂ、ｃの値は、室内ユニット１２内部が局所的に一時的な温度にならず、十分必要な吸込み量の室内空気を得ることができるようになる値を、予め実験などにより定めておく。それぞれの値は、ｂ＝１００％、ｃ＝０であっても構わない。尚、パネル開度Ψｐは、前面パネル１を稼動させるパネル駆動モーター２の運転量や時間の関数であるので、その値で代用することも可能である。
【００２０】
以上のように本実施の形態においては、前面パネル１が所定の開度となり、且つ所定の時間経過後、温度検知手段による温度検知を開始することによって、室内ユニット内部が閉空間でなくなるまでの間、一時的に発生する温度の誤検知を防止することができる。
【００２１】
また、本実施の形態では、前面パネル１が所定の開度となってから、冷凍サイクル制御の設定を行うので、前面パネル１が開かない等のトラブルが発生したときも、不要な運転を始めて、他の部品等に温度上昇等による悪影響を及ぼす可能性が低くなる。
【００２２】
（実施の形態２）
図３は、本発明にかかる実施の形態２における制御のフローチャートを示すものである。ここで、ａ、ｂ、ｃは定数である。
【００２３】
まずステップＳ００１で、上下風向変更ルーバー開度Ψｌ≧ａになるまで待機し、上下風向変更ルーバー開度Ψｌ≧ａになれば、ステップＳ００２に進む。
【００２４】
以降は図２に示す本発明にかかる実施の形態１の制御を構成するフローチャートと同じ制御であって、ステップＳ００２で、パネル開度Ψｐ≧ｂになるまで待機し、パネル開度Ψｐ≧ｂになれば、ステップＳ００３に進む。
【００２５】
ステップＳ００３で、パネル開放動作経過時間ｔｐ≧ｃになるまで待機し、パネル開放動作経過時間ｔｐ≧ｃになれば、ステップＳ００４に進み、温度検知手段による温度検知を開始する。
【００２６】
ここで、定数ａ、ｂ及びｃの定数は、室内ユニット１２内部が局所的に一時的な温度にならず、十分必要な吸込み量の室内空気を得ることができるようになる値を、予め実験などにより定めておく。なお、この実施の形態２で示されている定数ｂ、ｃと実施の形態１で示された定数ｂ、ｃは必ずしも同値である必要はない。実施の形態１と比べると、上下風向変更ルーバーと前面パネル双方が開いているので、室内空気が室内ユニット１２内部に入り込みやすく、十分必要な吸込み量の室内空気を得るまでの時間ｃは短くなると予想できる。
【００２７】
以上のように本実施の形態においては、上下風向変更ルーバー３が所定の開度となり、前面パネル１が所定の開度で、且つ所定の時間経過後、温度検知を開始することにより、室内ユニット１２内部が閉空間でなくなるまでの間、一時的に起こる一時的温度を誤検知することを防止することができる。
【００２８】
また、本実施の形態では、上下風向変更ルーバー３及び前面パネル１が所定の開度になってから、冷凍サイクル制御の設定を行うので、上下風向変更ルーバー３や前面パネル１が開かない等のトラブルが発生したときも、不要な運転を始めて、他の部品等に温度上昇等による悪影響を及ぼす可能性が低くなる。
【００２９】
（実施の形態３）
本発明にかかる実施の形態３において、図１を用いて温度検知手段を示す。
【００３０】
温度検知手段は、吸込み口４と室内熱交換器５上流側の間にあって、吸込み口４から取り込まれた室内の空気の温度を検知する室内温度センサー８である。
【００３１】
初期の室内温度を正しく検知することによって、目的とする室内環境にする為の最適な冷凍サイクル運転制御を開始することができる。
【００３２】
（実施の形態４）
本発明にかかる実施の形態４において、図１を用いて温度検知手段を示す。
【００３３】
温度検知手段は、室内熱交換器５下流側と吹出し口７の間にあって、吹出し口７から送風される熱交換後の空気の吹出し温度を検知する吹出し温度センサー１０である。
【００３４】
熱交換後の吹出し空気の初期温度値を正しく検知することによって、目的とする室内環境にする為の最適な冷凍サイクル運転制御を開始することができる。
【産業上の利用可能性】
【００３５】
以上のように、本発明にかかる空気調和機の発明は、開閉可能なパネルと送風回路を有する送風装置であれば、広く利用可能であり、空気清浄機、車両用空気調和機、ダクトファン、除湿機等の用途にも適用できる。
【図面の簡単な説明】
【００３６】
【図１】（ａ）本発明の実施の形態１における室内ユニットの停止時の斜視図（ｂ）実施の形態１における室内ユニットの運転時の斜視図（ｃ）実施の形態１における室内ユニットの運転時の断面図
【図２】本発明の実施の形態１における制御方法のフローチャート
【図３】本発明の実施の形態２における制御方法のフローチャート
【符号の説明】
【００３７】
１  前面パネル
２  パネル駆動モーター
３  上下風向変更ルーバー
４  吸込み口
５  室内熱交換器
６  室内ファン
７  吹出し口
８  室内温度センサー
１０  吹出し温度センサー
１１  制御部
１２  室内ユニット 
【図１】
2005291640.tif 000003
【図２】
2005291640.tif 000004
【図３】
2005291640.tif 000005